【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
遊技を実行可能であり、遊技者にとって有利な有利状態に制御可能な遊技機であって、
遊技者の動作を検出可能な動作検出手段と、
前記動作検出手段に対応した特定表示を行う特定表示実行手段と、
遊技に用いた遊技媒体を検出可能な検出手段と、
前記検出手段からの検出信号が送信される信号線と、
前記検出信号を受信する受信手段と、
前記検出信号の受信状態の異常を検知可能な異常検知手段と、
所定条件が成立することに基づいて遊技媒体を払い出す払出手段と、
前記有利状態とは異なる所定状態において前記検出手段によって検出された遊技媒体数と、前記所定状態において前記払出手段によって払い出された遊技媒体数とに基づいて算出される所定情報を表示可能な情報表示手段と、を備え、
前記異常検知手段によって受信状態の異常が検知された場合に、前記情報表示手段による表示を制限し、
前記動作検出手段は、少なくとも第１操作部に対する第１動作と、第２操作部に対する第２動作とを含む、複数の動作を検出可能であり、
前記特定表示実行手段は、
可変表示の実行中に、前記特定表示として、前記第１動作に対応した第１特定表示を表示した後、前記第１特定表示よりも遊技者にとって有利度が高く且つ前記第２動作に対応した第２特定表示を表示可能であり、
前記動作検出手段による検出の非有効期間において、前記第１特定表示を表示した後、前記特定表示の変化に関する有利度が異なる複数種類の演出のうちのいずれかが実行されたときに当該第１特定表示を前記第２特定表示に変化させ、
前記動作検出手段による検出の有効期間において、変化後の前記第２特定表示を用いた動作演出が実行されることを特徴とする遊技機。
【手続補正２】
【補正対象書類名】明細書
【補正対象項目名】０００７
【補正方法】変更
【補正の内容】
【０００７】
（Ａ）上記目的を達成するため、本発明の一態様による遊技機は、遊技を実行可能であり、遊技者にとって有利な有利状態（例えば、大当り遊技状態、確変状態、時短状態等）に制御可能な遊技機（例えば、パチンコ遊技機、スロットマシン等）であって、遊技者の動作を検出可能な動作検出手段（例えば、プッシュボタン３１Ｂ、スティックコントローラ３１Ａ、タッチセンサ、赤外線センサ、カメラ等）と、前記動作検出手段に対応した特定表示（例えば、図２５、図３２〜図３８に示した小ボタン（白）Ｄ１、大ボタン（白）Ｄ２、大ボタン（赤）Ｄ３、スティックＤ４、小ボタン（白）Ｄ１Ｕ、大ボタン（白）Ｄ２Ｕ、大ボタン（赤）Ｄ３Ｕ、スティックＤ４Ｕ等）を行う特定表示実行手段（例えば、ボタン発展演出処理（Ｓ５２９）、可変表示中演出処理（Ｓ１７２）等）と、遊技に用いた遊技媒体（例えば、遊技領域９０１０等）を検出可能な検出手段（例えば、図１４４、図１４８等に示したアウト球検出器９０７１０等）と、前記検出手段からの検出信号が送信される信号線（例えば、図１４４に示した信号線９０７３４等）と、前記検出信号を受信する受信手段（例えば、主基板９０１１、主基板９０１１側に設けられた所定の接続部等）と、前記検出信号の受信状態の異常を検知可能な異常検知手段（例えば、図１４５のエラー報知処理を実行するＣＰＵ９０１０３等）と、所定条件が成立（例えば、第１始動入賞口となる普通入賞球装置９０６Ａ、第２始動入賞口となる普通可変入賞球装置９０６Ｂ、一般入賞領域となる一般入賞口９０５０Ａ〜９０５０Ｄ、大入賞口となる特別可変入賞球装置９０７への入賞等）することに基づいて遊技媒体を払い出す払出手段（例えば、球払出装置，払出機構等）と、前記有利状態とは異なる所定状態（例えば、通常状態等。具体的には、確変フラグ、時短フラグ、ラウンド遊技中フラグの何れもオフの状態等）において前記検出手段によって検出された遊技媒体数（例えば、打込玉数等）と、前記所定状態において前記払出手段によって払い出された遊技媒体数（例えば、各入賞口への入賞による賞球数等）とに基づいて算出される所定情報（例えば、図１２４の性能情報等）を表示可能（例えば、性能表示を可能等）な情報表示手段（例えば、図１４８の表示モニタ９０１１３０等）と、を備え、前記異常検知手段によって受信状態の異常が検知された場合に、前記情報表示手段による表示を制限し（例えば、図１４６や図１４７に示すようにエラーを報知し、性能表示を制限する等）、前記動作検出手段は、少なくとも第１操作部に対する第１動作と、第２操作部に対する第２動作とを含む、複数の動作を検出可能であり、前記特定表示実行手段は、可変表示の実行中に、前記特定表示として、前記第１動作に対応した第１特定表示（例えば、小ボタン（白）Ｄ１等）を表示した後、前記第１特定表示よりも遊技者にとって有利度（例えば、大当り期待度、１６Ｒ確変大当り（図７参照）となる期待度、通常大当りと確変大当りがある場合において確変大当りとなる期待度）が高く且つ前記第２動作に対応した第２特定表示（例えば、第１特定表示を小ボタン（白）Ｄ１とする場合には第２特定表示は大ボタン（白）Ｄ２、大ボタン（赤）Ｄ３、スティックＤ４等、第１特定表示を大ボタン（白）Ｄ２とする場合には第２特定表示は大ボタン（赤）Ｄ３、スティックＤ４等、第１特定表示を大ボタン（赤）Ｄ３とする場合には第２特定表示はスティックＤ４等）を表示可能であり、前記動作検出手段による検出の非有効期間（例えば、図２９〜図３８に示したＴ４〜Ｔ１１等）において、前記第１特定表示を表示した後に、前記特定表示の変化に関する有利度が異なる複数種類の演出のうちのいずれかが実行されたときに当該第１特定表示を前記第２特定表示に変化させ（例えば、図３２（Ｃ）に示すように小ボタン（白）Ｄ１を表示した後に当該小ボタン（白）Ｄ１を図３３（Ｇ）に示すように大ボタン（白）Ｄ２に変化させ、更に、大ボタン（白）Ｄ２を図３３（Ｉ）に示すように大ボタン（赤）Ｄ３に変化させ）、前記動作検出手段による検出の有効期間（例えば、図２９〜図３８に示したＴ１１〜Ｔ１３等）において、変化後の前記第２特定表示（例えば、図３３（Ｊ）や図３３（Ｋ）に示すように大ボタン（赤）Ｄ３や大ボタン（赤）Ｄ３Ｕ等）を用いた動作演出（例えば、図３３（Ｋ）に示すように操作を促して図３３（Ｌ）に示したように結果を報知する演出等）が実行されることを特徴とする。
（１）上記目的を達成するため、本発明の一態様による遊技機は、遊技を実行可能であり、遊技者にとって有利な有利状態（例えば、大当り遊技状態、確変状態、時短状態等）に制御可能な遊技機（例えば、パチンコ遊技機、スロットマシン等）であって、遊技者の動作を検出可能な動作検出手段（例えば、プッシュボタン３１Ｂ、スティックコントローラ３１Ａ、タッチセンサ、赤外線センサ、カメラ等）と、前記動作検出手段に対応した特定表示（例えば、図２５、図３２〜図３８に示した小ボタン（白）Ｄ１、大ボタン（白）Ｄ２、大ボタン（赤）Ｄ３、スティックＤ４、小ボタン（白）Ｄ１Ｕ、大ボタン（白）Ｄ２Ｕ、大ボタン（赤）Ｄ３Ｕ、スティックＤ４Ｕ等）を行う特定表示実行手段（例えば、ボタン発展演出処理（Ｓ５２９）、可変表示中演出処理（Ｓ１７２）等）と、遊技に用いた遊技媒体（例えば、遊技領域９０１０等）を検出可能な検出手段（例えば、図１４４、図１４８等に示したアウト球検出器９０７１０等）と、前記検出手段からの検出信号が送信される信号線（例えば、図１４４に示した信号線９０７３４等）と、前記検出信号を受信する受信手段（例えば、主基板９０１１、主基板９０１１側に設けられた所定の接続部等）と、前記検出信号の受信状態の異常を検知可能な異常検知手段（例えば、図１４５のエラー報知処理を実行するＣＰＵ９０１０３等）と、所定条件が成立（例えば、第１始動入賞口となる普通入賞球装置９０６Ａ、第２始動入賞口となる普通可変入賞球装置９０６Ｂ、一般入賞領域となる一般入賞口９０５０Ａ〜９０５０Ｄ、大入賞口となる特別可変入賞球装置９０７への入賞等）することに基づいて遊技媒体を払い出す払出手段（例えば、球払出装置，払出機構等）と、前記有利状態とは異なる所定状態（例えば、通常状態等。具体的には、確変フラグ、時短フラグ、ラウンド遊技中フラグの何れもオフの状態等）において前記検出手段によって検出された遊技媒体数（例えば、打込玉数等）と、前記所定状態において前記払出手段によって払い出された遊技媒体数（例えば、各入賞口への入賞による賞球数等）とに基づいて算出される所定情報（例えば、図１２４の性能情報等）を表示可能（例えば、性能表示を可能等）な情報表示手段（例えば、図１４８の表示モニタ９０１１３０等）と、を備え、前記異常検知手段によって受信状態の異常が検知された場合に、前記情報表示手段による表示を制限し（例えば、図１４６や図１４７に示すようにエラーを報知し、性能表示を制限する等）、前記特定表示実行手段は、前記特定表示として、第１特定表示（例えば、小ボタン（白）Ｄ１等）と、前記第１特定表示よりも遊技者にとって有利度（例えば、大当り期待度、１６Ｒ確変大当り（図７参照）となる期待度、通常大当りと確変大当りがある場合において確変大当りとなる期待度）が高い第２特定表示（例えば、第１特定表示を小ボタン（白）Ｄ１とする場合には第２特定表示は大ボタン（白）Ｄ２、大ボタン（赤）Ｄ３、スティックＤ４等、第１特定表示を大ボタン（白）Ｄ２とする場合には第２特定表示は大ボタン（赤）Ｄ３、スティックＤ４等、第１特定表示を大ボタン（赤）Ｄ３とする場合には第２特定表示はスティックＤ４等）を表示可能であり、前記動作検出手段による検出の非有効期間（例えば、図２９〜図３８に示したＴ４〜Ｔ１１等）において、前記第１特定表示を表示した後に当該第１特定表示を前記第２特定表示に変化させ（例えば、図３２（Ｃ）に示すように小ボタン（白）Ｄ１を表示した後に当該小ボタン（白）Ｄ１を図３３（Ｇ）に示すように大ボタン（白）Ｄ２に変化させ、更に、大ボタン（白）Ｄ２を図３３（Ｉ）に示すように大ボタン（赤）Ｄ３に変化させ）、前記動作検出手段による検出の有効期間（例えば、図２９〜図３８に示したＴ１１〜Ｔ１３等）において、変化後の前記第２特定表示（例えば、図３３（Ｊ）や図３３（Ｋ）に示すように大ボタン（赤）Ｄ３や大ボタン（赤）Ｄ３Ｕ等）を用いた動作演出（例えば、図３３（Ｋ）に示すように操作を促して図３３（Ｌ）に示したように結果を報知する演出等）が実行されることを特徴とする。